(57)【要約】【課題】本発明は、カードが付されたシートに対してレーザ照射により印字を行うレーザ印字システムおよびこれにより印字されたカード付きシートに関し、印字情報のマッチングを不要とし、印字品質を一定可能とすることを目的とする。【解決手段】カード５２が付されたシート５１のそれぞれに関連した印字情報を同一工程でレーザ照射により印字するにあたり、レーザ制御処理手段でレーザ印字のためのデータファイルを作成し、当該データファイルに含まれる各印字面の高さに応じた焦点距離ｆ１、ｆ２で焦点変動させる制御データに基づいて発生させたレーザ光Ｌ１、Ｌ２を対応の印字面に照射させて印字を行わせる構成とする。【選択図】  図４
2004230443.tif 000002
【特許請求の範囲】
【請求項１】
所定のカードが付されたシートに対して、互いに関連した印字情報を同一工程でレーザ照射により印字させるためのカード付きシートのレーザ印字システムであって、
印字のためのレーザ光を発生させるためのレーザ発生手段、および前記カードおよびシートに対するレーザ照射領域範囲内で当該レーザ光をスキャンさせるスキャン駆動手段を備えると共に、当該カードの印字面とシートの印字面との高さに応じて照射するレーザ光の焦点を変動させる焦点変動手段を備えるレーザ照射制御手段と、
前記印字情報の入力に対してレーザ印字のためのデータファイルを作成して前記レーザ照射制御手段を駆動制御するものであり、当該データファイルには前記カードの印字面とシートの印字面の高さ情報に応じて前記焦点変動手段を制御するデータを含ませるレーザ制御処理手段と、
を有することを特徴とするレーザ印字システム。
【請求項２】
請求項１記載のレーザ印字システムであって、前記レーザ照射制御手段は、前記レーザ発生手段で発生されたレーザ光の光軸中に焦点調整レンズが配置され、前記焦点変動手段が当該焦点調整レンズを光軸方向に変動させて前記印字面への焦点を変動させることを特徴とするレーザ印字システム。
【請求項３】
請求項１記載のレーザ印字システムであって、前記レーザ照射制御手段は、前記カードおよびシートに対して印字のためのレーザ光を収束させるためのｆθレンズを備え、前記焦点変動手段が当該ｆθレンズを光軸方向に変動させて前記印字面への焦点を変動させることを特徴とするレーザ印字システム。
【請求項４】
所定のシートに所定のカードが付され、請求項１〜３記載のレーザ印字システムにより、当該シートおよびカードに対して互いに関連した印字情報を同一工程でレーザ印字される、またはレーザ印字されたことを特徴とするカード付きシート。
【発明の詳細な説明】
【０００１】
【発明の属する技術分野】
本発明は、カードが付されたシートに対してレーザ照射により印字を行うレーザ印字システムおよびこれにより印字されたカード付きシートに関する。
【０００２】
【従来の技術】
近年、クレジットカード、キャッシュカード、その他会員等の各種カードの発行数が増大し、利用頻度も増加している。このようなカードは、発行時や期限更新時に所有者の氏名や番号等を表示させて各顧客に発送している。このような場合に、発送先氏名と、カードに表示された氏名とが一致していることが必要であり、発送前に氏名のマッチングを行っている。
【０００３】
従来、氏名等が表示されたカードを当該氏名の顧客に発送する場合、発送先が印字されたシートに、当該氏名が表示されたカードを貼付したり、当該シートに形成された切り込みに挟んで固定したカード付きシートを、シート上の発送先を視認させる窓が形成された封筒に封入して発送しているのが一般的である。このようなカード付きシートは、例えば以下の特許文献等に記載されている。
【０００４】
【特許文献１】
特開平７−８１２７７号公報
【０００５】
上記特許文献１には、カード用紙が示され、当該カード用紙は正カードおよびテレホンカードが感圧性接着剤により擬似接着されたカード支持片と、宛て名が印字された宛て名表示片で構成されたものとして示される。この場合、宛て名表示片への宛て名の印字と、正カードおよびテレホンカードのそれぞれへの所定情報の表示（印字または印刷）とは、一般的には別工程で行われるものである。
【０００６】
【発明が解決しようとする課題】
しかしながら、上記宛て名印字とカードへの表示が別工程で行われる場合、これらが一致していることを確認するマッチングを行わなければならずマッチング工程を必要とし、一方で、宛て名印字とカード表示を同一工程で行った場合はマッチングを行う必要はないが、それぞれの印字（印刷）面の高さが同一でないことから印字（印刷）品質にバラツキを生じるという問題がある。
【０００７】
そこで、本発明は、上記課題に鑑みなされたもので、印字情報のマッチングを不要とし、印字品質を一定可能とするレーザ印字システムおよびカード付きシートを提供することを目的とする。
【０００８】
【課題を解決するための手段】
上記課題を解決するために、請求項１の発明では、所定のカードが付されたシートに対して、互いに関連した印字情報を同一工程でレーザ照射により印字させるためのカード付きシートのレーザ印字システムであって、印字のためのレーザ光を発生させるためのレーザ発生手段、および前記カードおよびシートに対するレーザ照射領域範囲内で当該レーザ光をスキャンさせるスキャン駆動手段を備えると共に、当該カードの印字面とシートの印字面との高さに応じて照射するレーザ光の焦点を変動させる焦点変動手段を備えるレーザ照射制御手段と、前記印字情報の入力に対してレーザ印字のためのデータファイルを作成して前記レーザ照射制御手段を駆動制御するものであり、当該データファイルには前記カードの印字面とシートの印字面の高さ情報に応じて前記焦点変動手段を制御するデータを含ませるレーザ制御処理手段と、を有する構成とする。
【０００９】
請求項２、３の発明では、「前記レーザ照射制御手段は、前記レーザ発生手段で発生されたレーザ光の光軸中に焦点調整レンズが配置され、前記焦点変動手段が当該焦点調整レンズを光軸方向に変動させて前記印字面への焦点を変動させる」構成であり、
「前記レーザ照射制御手段は、前記カードおよびシートに対して印字のためのレーザ光を収束させるためのｆθレンズを備え、前記焦点変動手段が当該ｆθレンズを光軸方向に変動させて前記印字面への焦点を変動させる」構成である。
【００１０】
請求項４の発明では、所定のシートに所定のカードが付されカード付きシートであって、請求項１〜３記載のレーザ印字システムにより、当該シートおよびカードに対して互いに関連した印字情報を同一工程でレーザ印字される、またはレーザ印字された構成とする。
【００１１】
このように、カードが付されたシートのそれぞれに関連した印字情報を同一工程でレーザ照射により印字するにあたり、レーザ制御処理手段でレーザ印字のためのデータファイルを作成し、当該データファイルに含まれる各印字面の高さに応じた焦点変動の制御データに基づいて発生させたレーザ光を対応の印字面に照射させて印字を行わせる。すなわち、印字面の高さに応じてレーザ照射の焦点を変動させることから当該高さが異なっても印字品質を一定とさせることが可能となり、同一工程でレーザ印字を行わせることからカードおよびシートに印字された情報のマッチングを不要とさせることが可能となるものである。
【００１２】
【発明の実施の形態】
以下、本発明の好ましい実施形態を図により説明する。
図１に、本発明に係るレーザ印字システムの構成図を示す。図１（Ａ）はレーザ印字システムの概念ブロック図、図１（Ｂ）は内部構成のブロック図である。図１（Ａ）において、レーザ印字システム１１は、レーザ制御処理手段１２およびレーザ照射制御システム１３により構成され、当該レーザ照射制御システム１３はレーザ照射部分のノズル１３Ａを備えてカード付きシート１４の印字領域範囲にレーザ光を照射する。
【００１３】
すなわち、上記構成のレーザ印字システム１１は、カード付きシート１４の所定のカードが付されたシートに対して、互いに関連した印字情報を同一工程でレーザ照射により印字させるものである。当該カード付きシート１４（図３で説明する）は、図示しない印字ステージ上に搬送されるもので（搬送手段も図示せず）、その位置決めのための検出手段１５が配置されるものである。なお、レーザ制御処理手段１２には、図１（Ｂ）に示すように、入力手段１６、表示手段１７および印字データベース（ＤＢ）１８を適宜備える。当該表示手段１７はレーザ制御処理手段１２に含ませることもできる。
【００１４】
上記レーザ照射制御システム１３は、図１（Ｂ）に示すように、レーザ発生手段２１、スキャン駆動手段２２および焦点変動手段の一部を構成するレンズ駆動手段２３を備える。上記レーザ発生手段２１は、印字のためのレーザ光を発生させるためのもので、例えば既存のレーザ発生の機構によりＣＯ２レーザ、ＹＡＧレーザ等の適宜選択されたレーザ光を発生させる。上記スキャン駆動手段２２は、前記カード付きシート１４のカードおよびシートに対するレーザ照射領域範囲内で当該レーザ光をスキャンさせるもので、例えば後述の図２で説明するガルバノ機構を備える。
【００１５】
上記レンズ駆動手段２３は、カード付きシート１４におけるカードの印字面とシートの印字面との高さに応じて照射するレーザ光の焦点を変動させるもので、例えば後述の図２で採用される焦点調整レンズを光軸方向に変動させる。この場合、レンズ駆動手段２３および焦点調整レンズにより焦点変動手段が構成される。レンズ駆動手段２３の機構としては、例えばカメラのオートフォーカスを行わせるためにレンズを駆動制御するモータ、エンコーダ、センサ、ギア組、ピエゾ素子、ボイスコイル等と同一の機構を採用することができる。
【００１６】
一方、上記レーザ制御処理手段１２は、図１（Ｂ）に示すように、カード付きシート１４に印字する情報の入力に対してレーザ印字のためのデータファイルを作成して上記レーザ照射制御手段１３を駆動制御するためのものとして、当該データファイルには上記カードの印字面とシートの印字面の高さ情報に応じて上記レンズ駆動手段２３を制御するデータを含ませるものであり、そのために、制御手段３１、バス３２、インタフェース（ＩＦ）３３、入力処理手段３４、データファイル作成手段３５、スキャン駆動制御手段３６、焦点制御手段３７およびレーザ照射駆動制御手段３８を適宜備える。
【００１７】
上記制御手段３１は、当該レーザ印字システム１１を統括的に制御するもので、そのためのプログラムを格納する。上記ＩＦ３３は、レーザ照射制御システム１３、検出手段１５、入力手段１６、表示手段１７および印字ＤＢ１８とのデータ授受の整合を行う。上記入力処理手段３４は、入力手段１６よりレーザ印字の情報を入力させるための処理を行うもので、適宜入力画面を表示手段１７で表示させて印字情報の入力を行わせる（後述の図７（Ａ）で説明する）。なお、印字ＤＢ１８は、必要に応じて設けられるもので、例えばカード発送先の顧客情報が格納されて印字情報の入力において適宜利用されるものである。
【００１８】
上記データファイル作成手段３５は、入力された印字情報に基づいてレーザ照射の制御を行うためのデータファイルを作成するもので、その一例が後述の図７（Ｂ）に示される。上記スキャン駆動手段２２は、レーザ照射制御システム１３のスキャン駆動手段２２を駆動させるための制御信号を、上記作成されたデータファイルに基づいて生成して送出する。例えば、カード付きシート１４の印字面へのレーザ光の照射がＸ方向とＹ方向とにスキャンさせるためのそれぞれの駆動制御信号が生成される。
【００１９】
上記焦点制御手段３７は、上記作成されたデータファイルに基づいてカードまたはシートの印字面の高さ情報より焦点距離を特定し、レーザ照射を当該印字面の焦点距離とさせるための駆動制御信号を生成してレンズ駆動手段２３に生成して送出する。例えば、レーザ照射制御手段１３がレーザ発生手段２１で発生されたレーザ光の光軸中に配置された焦点調整レンズ（図２に示す）を備えて、当該焦点調整レンズを光軸上で変動させることで焦点距離を変動させる場合には、上記レンズ駆動手段２３が焦点変動の駆動制御信号に基づいて焦点調整レンズを移動させ、一方、レーザ照射制御手段１３がカードおよびシートに対して印字のためのレーザ光を収束させるためのｆθレンズ（図８に示す）を備えて、これを光軸上で変動させることで焦点距離を変動させる場合には、当該レンズ駆動手段２３が焦点変動の駆動制御信号に基づいてｆθレンズを移動させるものである。
【００２０】
そして、上記レーザ照射駆動制御手段３８は、上記作成されたデータファイルに基づき印字情報に応じてレーザ発生の制御信号を生成してレーザ照射制御システム１３のレーザ発生手段２１に送出する。例えば、データファイルより焦点距離ｆ１，ｆ２毎に印字順序を設定してレーザ発生の制御信号を生成する。なお、レーザ印字状態をビットマップ展開し、そのビットに応じたレーザ発生の制御信号を生成することとしてもよい。
【００２１】
そこで、図２に、図１のレーザ照射制御システムの概念図を示す。図２において、レーザ照射システム１３は、レーザ発生手段２１、焦点調整レンズ４０、ビームエクスパンダ４１およびガルバノミラー４２Ｘ，４２Ｙを含んで構成される。上記焦点調整レンズ４０は、例えば平凸レンズや凸メニスカスレンズ等が使用され、レーザ発生手段２１より発生された拡散的なレーザ光を収束させつつ上記ビームエクスパンダ４１に入光させる。当該ビームエクスパンダ４１は、例えばガリレオ式のもので、入光したレーザ光を一旦拡大させ、これを各ガルバノミラー４２Ｘ，４２Ｙを介してカード付きシート１４上に収束させるレンズ構成である。そして、レンズ駆動手段２３が当該焦点調整レンズ４０を光軸方向に変動させることでカード付きシート１４上に照射されるレーザ光の焦点距離が変動するものである。
【００２２】
また、上記Ｘ方向駆動部２２Ｘはレーザ光をＸ方向にスキャンさせるためにガルバノミラー４２Ｘを回転させるためのもので、Ｙ方向駆動部２２Ｙはレーザ光をＹ方向にスキャンさせるためにガルバノミラー４２Ｙを回転させるためのものである。上記ＸＹ方向駆動部２２Ｘ，２２Ｙおよび各ガルバノミラー４２Ｘ，４２Ｙにより上記スキャン駆動手段２２が構成される。
【００２３】
上述のようなレーザ照射システム１３に対して、図示しない印字ステージ上にカード付きシート１４が図示しない搬送手段により搬送されるもので、例えば当該カード付きシート１４の所定位置（例えば裏面）にマーク１４Ａが表示され、当該マーク１４Ａを検出手段１５が検出することで位置決めされたカード付きシート１４としてレーザ印字が開始されるものである。
【００２４】
すなわち、カード付きシート１４のシート上にレーザ印字する場合と、カード上にレーザ印字する場合とではその印字面の高さが異なることからレンズ駆動手段２３で焦点調整レンズ４０を光軸方向に移動させてそれぞれの印字面にレーザ光の焦点距離を合致させるものである。これは、焦点調整レンズ４０からの出射光が収束していることから当該焦点調整レンズ４０を光軸上で変動させると、ビームエクスパンダ４１への入射光が変化されることで出射されるレーザ光の焦点距離が変化されるものである。これによって、シート上のレーザ印字とカード上のレーザ印字との印字品質を同一とすることができるものである。
【００２５】
ここで、図３にレーザ印字前のカード付きシートの説明図を示し、図４にカード付きシートへのレーザ照射による印字の説明図を示し、図５にレーザ印字後のカード付きシートの説明図を示す。
【００２６】
図３において、カード付きシート１４は、シート５１上に例えば黒インキが印刷された黒色層５１Ａが形成され、当該黒色層５１Ａ上に例えば白インキが印刷された白色層５１Ｂが形成される。このシート５１としては、紙であってもプラスチック（フィルム）であってもよい。一方、クレジットカード、キャッシュカード、その他会員等の各種のカード５２上には、例えば黒インキが印刷された黒色層５２Ａが形成され、当該黒色層５２Ａ上に例えば白インキが印刷された白色層５２Ｂが形成される。
【００２７】
また、カード５２の裏面には、剥離可能な一時接着機能を有する例えば従前より知られている感圧接着剤５３が形成される。そして、シート５１上の所定位置に上記カード５２が感圧接着剤５３により剥離自在に擬似接着されるものである。なお、シート５１およびカード５２に、互いに同一の黒色層５１Ａ，５２Ａおよび白色層５１Ｂ，５２Ｂを形成させた場合を示したが、多層する各色が異なっていればよく、またシート５１とカード５２を別の色の層で形成してもよい。また、赤（Ｒ）、緑（Ｇ）、青（Ｂ）、黒（ＢＫ）の多層構造として、レーザ照射により所望色を表出させることで多色印字とさせることもできるものである。
【００２８】
そして、図４（Ａ）に示すように、図３の構成のカード付きシート１４に対してシート５１の所定印字領域にレーザ光が照射されて印字が行われ、同一工程でカード５２の所定印字領域にレーザ光が照射されて印字が行われるものである。すなわち、図４（Ｂ）に示すように、シート５１上の印字領域でレーザ光Ｌ１の焦点距離ｆ１が黒色層５１Ａの上面（白色層との境界）に設定され、当該レーザ光Ｌ１が照射されることで照射部分の白色層５１Ｂが削られて黒色層５１Ａが表出することによって視認可能に印字されるものである。
【００２９】
また、図４（Ｃ）に示すように、カード５２の厚み（各層５２Ａ，５２Ｂおよび感圧接着剤５３を便宜上無視する）をｔとすると、シート５１上の印字面とカード５２上の印字面とが厚さ分異なることになる。そこで、当該カード５２の厚さｔを考慮したレーザ光Ｌ２の焦点距離ｆ２と設定することで、当該レーザ光Ｌ２が照射されて白色層５２Ｂが削られ、黒色層５２Ａが表出することによって視認可能に印字されるものである。
【００３０】
例えばカード付きシート１４のシート５１上に宛名等が印字され、カード５２上に当該カード使用者名が印字されて発送させる場合、図４（Ａ）〜（Ｃ）でのレーザ印字によって、図５に示すようなカード５２が付されたシート５１のカード付きシート１４が形成され、このカード付きシート１４を宛て名が視認可能となる窓付き封緘体５４に封入されて発送されるものである。
【００３１】
続いて、図６に図１のレーザ制御処理手段によるレーザ印字のフローチャートを示し、図７にレーザ印字のためのレーザ印字データファイルの説明図を示す。図６において、まず、オペレータによるレーザ印字の情報が入力手段１６を介して入力され、当該印字情報が入力処理手段３４により所定の処理が行われる（ステップ（Ｓ）１）。そして、入力される印字情報に基づいてデータファイル作成手段３５Ａがレーザ照射のためのデータファイルを作成する（Ｓ２）。この場合の印字情報は、印字データおよびその属性データである。
【００３２】
ここで、図７により印字情報の入力方法の一例を示し、作成されるデータファイルの一例を示す。図７（Ａ）に示しように、印字情報の入力時は上述のように入力処理手段３４が表示手段１７に印字情報入力のための画面を立ち上げて表示させ、この画面上でオペレータが入力を行うものとしてもよい。例えば、画面上の基準Ｓよりカード付きシート１４のエリアＡを特定し、当該エリアＡ内に所望の印字データを図示しないキーボードから、または上記印字ＤＢ１８を用いて入力していく。その際、当該印字データの属性データをも入力していく。
【００３３】
そして、画面上の印字情報の入力が終了して確定すると、データファイル作成手段３５が、例えば図７（Ｂ）に示すようなレーザ印字データファイルを作成する。すなわち、図７（Ｂ）において、印字領域、印字データ、フォント、印字サイズ、焦点距離（基準Ｌ１）、焦点距離（指定Ｌ２）等の各データが印字情報のファイル構成とされる。この場合、焦点距離（基準Ｌ１）は例えばシート５１上の印字面への焦点距離を基準としたもので、焦点距離（指定Ｌ２）は付されるカード５２の厚さｔを考慮した焦点距離を指定したものとして示してある。このデータファイルに基づいてスキャン駆動制御手段３６、焦点制御手段３７およびレーザ照射駆動制御手段３８がそれぞれレーザ照射制御システム１３を制御するものである。
【００３４】
そこで、図６に戻って説明すると、印字対象のカード付きシート１４が図示しない搬送手段で印字位置のステージに位置されたことを検出手段１５が検出してその検出信号を入力すると（Ｓ３）、上記作成されたデータファイルに基づいて印字領域が特定される（Ｓ４）。この印字領域の特定は、例えば制御手段３１が予め基準の焦点距離ｆ１より印字することを定めておいてもよい。
【００３５】
ステージ印字位置に位置されたカード付きシート１４のシート５１よりレーザ印字を行う場合として、スキャン駆動制御手段３６がレーザ照射位置をシート５１の印字領域とすべくスキャン駆動制御信号を生成すると共に、焦点制御手段３７がレーザ照射の焦点距離ｆ１を当該シート５１上でハーフカット（白色層５１Ｂのみを削除）すべく焦点設定制御信号を生成する（Ｓ５）。そして、レーザ照射駆動制御手段３８がレーザ発生制御信号としての印字データをレーザ発生手段２１に出力すると共に、スキャン駆動制御手段３６がスキャン駆動制御信号をスキャン駆動手段２２に出力し、焦点制御手段３７が焦点設定制御信号をレンズ駆動手段２３に出力して、データファイルの当該シート５１上のレーザ印字の総てを行う（Ｓ６）。
【００３６】
続いてカード５２に対してレーザ印字を行うものとして（Ｓ７）、スキャン駆動制御手段３６がレーザ照射位置をカード５２の印字領域とすべくスキャン駆動制御信号を生成すると共に、焦点制御手段３７がレーザ照射の焦点距離ｆ２（＝ｆ１−ｔ）を当該カード５２上でハーフカット（白色層５２Ｂのみを削除）すべく焦点設定制御信号を生成する（Ｓ８）。
【００３７】
そこで、レーザ照射駆動制御手段３８がレーザ発生制御信号としての印字データをレーザ発生手段２１に出力すると共に、スキャン駆動制御手段３６がスキャン駆動制御信号をスキャン駆動手段２２に出力し、焦点制御手段３７が焦点設定制御信号をレンズ駆動手段２３に出力して、データファイルの当該カード５２上のレーザ印字の総てを行うものである（Ｓ９）。そして、シート５１に対してレーザ印字を行ったものとして（Ｓ１０）、終了するものである。
【００３８】
このように、シート５１およびカード５２の印字面の高さに応じてレーザ照射の焦点を変動させることから、当該高さが異なっても印字品質を一定とさせることができ、また同一工程でレーザ印字を行わせることからカードおよびシートに印字された情報（特に氏名）のマッチングを不要とさせることができるものである。
【００３９】
続いて、図８に、図１のレーザ照射制御システムの他の概念図を示す。図８に示すレーザ照射制御システム１３は、図２に示す焦点調整レンズ４０に代えて、ｆθレンズ４３を印字対象のカード付きシート１４側に配置させ、これをレンズ駆動手段２３からの駆動制御信号により光軸方向に変動させてカード付きシート１４上の印字面へのレーザ光の焦点を変動させるものである。この場合、ビームエクスパンダ４１は、例えばケプラー式のもので、その出射光を平行光とするレンズ構成のものが使用される。
【００４０】
このように、シート５１およびカード５２の印字面の高さに応じてレーザ照射の焦点距離の変動をｆθレンズ４３を光軸上で変動させることによっても実現できるもので、上記同様に、印字面の高さが異なっても印字品質を一定とさせることができ、また同一工程でレーザ印字を行わせることからカードおよびシートに印字された情報（特に氏名）のマッチングを不要とさせることができるものである。
【００４１】
次に、図９に、本発明に係る他のカード付きシートへのレーザ印字の説明図を示す。図９（Ａ）において、上記に示したカード付きシート１４は、カード５２をシート５１上に剥離可能に接着させた場合を示したが、図に示すように、カード５２の四隅に対応した切り込み５５を形成し、当該切り込み５５に当該カード５２を固定させた場合としても、上記同様にシート５１上のレーザ印字とカード５２上のレーザ印字を、焦点距離を異ならせて同一工程で行うことができるものである。
【００４２】
この際、カード５２が固定されてシート５１が撓む場合には、図９（Ｂ）に示すように、当該カード付きシート１４が位置される印字ステージ６１に所定数の吸引孔６２を形成し、図示しない吸引手段により吸引固定することにより、シート５１の印字面とカード５２の印字面の特定を確実とさせることができるものである。
【００４３】
【発明の効果】
このように、本発明によれば、カードが付されたシートのそれぞれに関連した印字情報を同一工程でレーザ照射により印字するにあたり、レーザ制御処理手段でレーザ印字のためのデータファイルを作成し、当該データファイルに含まれる各印字面の高さに応じた焦点変動の制御データに基づいて発生させたレーザ光を対応の印字面に照射させて印字を行わせることにより、印字情報のマッチングを不要とし、印字品質を一定可能とすることができるものである。
【図面の簡単な説明】
【図１】本発明に係るレーザ印字システムの構成図である。
【図２】図１のレーザ照射制御システムの概念図である。
【図３】レーザ印字前のカード付きシートの説明図である。
【図４】カード付きシートへのレーザ照射による印字の説明図である。
【図５】レーザ印字後のカード付きシートの説明図である。
【図６】図１のレーザ制御処理手段によるレーザ印字のフローチャートである。
【図７】レーザ印字のためのレーザ印字データファイルの説明図である。
【図８】図１のレーザ照射制御システムの他の概念図である。
【図９】本発明に係る他のカード付きシートへのレーザ印字の説明図である。
【符号の説明】
１１            レーザ印字システム
１２            レーザ制御処理手段
１３            レーザ照射制御システム
１４            カード付きシート
１５            検出手段
１６            入力手段
１７            表示手段
１８            印字データベース
２１            レーザ照射手段
２２            スキャン駆動手段
２３            レンズ駆動手段
４０            焦点調整レンズ
４１            ビームエクスパンダ
４２            ガルバノミラー
４３            ｆθレンズ
５１            シート
５２            カード
５３            剥離可能接着剤
【図１】
2004230443.tif 000003
【図２】
2004230443.tif 000004
【図３】
2004230443.tif 000005
【図４】
2004230443.tif 000006
【図５】
2004230443.tif 000007
【図６】
2004230443.tif 000008
【図７】
2004230443.tif 000009
【図８】
2004230443.tif 000010
【図９】
2004230443.tif 000011